(57)【要約】【課題】　一般的にカメラに関係して、カメラの種々の出来事や状況を表す多くの種々の検知可能な指示を提供するために、特にカメラの警告装置に関連する新しい発明が求められている。【解決手段】　カメラは、カメラの種々の出来事や状況を表す多くの種々の検知可能な指示を提供するために、警告装置を、および、警告装置に、カメラの出来事や状況に基づいた、各々種々の指示を提供させるコントローラーを備えている。警告装置は、カメラの種々の出来事や状況を表す種々の指示としての機能を果たす、多くの種々の振動する動きを作り出す。および、コントローラーは、警告装置に、カメラの出来事または状況に基づいて、各々種々の振動する動きを作り出させる。【選択図】図１
2004139086.tif 000002
【特許請求の範囲】
【請求項１】
　カメラの種々の出来事や状況を表す多くの種々の検知可能な指示を提供するための警告装置、および、警告装置に、上記カメラの出来事や状況に基づいた、各々種々の指示を提供させるコントローラーを備えるカメラは、下記の点で特徴付けられる：
　上記警告装置は、上記カメラの種々の出来事や状況を表す種々の指示としての機能を果たす多くの種々の振動する動きを作り出す；および
　上記コントローラーは、上記警告装置に、上記カメラの出来事や状況に基づいて、各々種々の振動する動きを作り出させる。
【請求項２】
　カメラの種々の出来事や状況を表す多くの種々の検知可能な指示を提供するために、警告装置を作動させる方法は下記を備える：
　上記カメラの種々の出来事や状況を表す種々の指示としての機能を果たす多くの種々の振動する動きを作り出す警告装置を提供する；および
　上記警告装置を操作して、上記カメラの出来事や状況に基づいて、各々種々の振動する動きを作り出させる。
【請求項３】
　カメラのあるモードが発生している間に検知可能な指示を提供するための警告装置、および、上記警告装置に、上記カメラの上記モードが発生している間検知可能な指示を提供させるコントローラーを備えたカメラは、下記の点で特徴付けられる：
　上記警告装置は、上記カメラを震えさせる振動する動きを作り出すため、モーターが重りを回転させるとき、上記重りの重心が上記重りの回転軸と一致しないように、非対称なマスを備えた重りに回転するように接続されたモーターを含む；および
　コントローラーは、対応する振動する動きを作り出すために、上記重りを回転させる上記カメラの上記モードの発生中に、連続したパルスの流れを上記モーターへ流して、上記モードが完了したとき、上記連続したパルスの流れを中断する。
【発明の詳細な説明】
【技術分野】
【０００１】
　本発明は一般的にカメラに関連し、特にカメラの種々の出来事や状況を表す多くの種々の検知可能な指示を提供するためのカメラの警告装置に関連する。
【背景技術】
【０００２】
　カメラが、カメラの種々の出来事や状況を表す多くの種々の検知可能な指示を提供するために、警告装置、および、警告装置に、カメラの出来事や状況に基づいた、各々種々の指示を提供させるコントローラーを備えることはよく知られている（例えば、特許文献１参照）。例えば液晶装置（ＬＣＤ）が、カメラのフィルムの装填失敗の目に見える表示、および／またはフィルム装填完了の目に見える表示を提供してもよい。
【０００３】
　写真技術の分野から区別される通信技術の分野において、ポケットベルや携帯電話は、誰かが通話することを望んでいることを知らせるために、ポケットベルや携帯電話を振動させる振動警告装置を備えていることは知られている。
【特許文献１】米国特許第３，９１１，４１６号明細書
【発明の開示】
【発明が解決しようとする課題】
【０００４】
　一般的にカメラに関係して、カメラの種々の出来事や状況を表す多くの種々の検知可能な指示を提供するために、特にカメラの警告装置に関連する新しい発明が求められている。
【課題を解決するための手段】
【０００５】
　一般的に、カメラの種々の出来事や状況を表す多くの種々の検知可能な指示を提供するために、警告装置、および、警告装置に、カメラの出来事や状況に基づいた、各々種々の指示を提供させるコントローラーを備えるカメラは下記の点で特徴付けられる。
【０００６】
　カメラの種々の出来事や状況を表す種々の指示としての機能を果たす、多くの種々の振動する動きを作り出す警告装置。
【０００７】
　警告装置に、カメラの出来事または状況に基づいて、各々種々の振動する動きを作り出させるコントローラー。
【０００８】
　さらに具体的には、警告装置は、カメラを揺らす振動する動きを作り出すために、モーターが重りを回転させたとき、重りの重心は重りの回転軸とは一致しないように、非対称のマスである重りに回転するように取り付けられているモーターを備えている。
【０００９】
　コントローラーは、対応する振動する動きを作り出すために、重りに異なって回転するようにさせるカメラの各々種々の出来事や状況に基づいて、種々のパルスの連続したものをモーターへ加える。
【発明を実施するための最良の形態】
【００１０】
　本発明は、再装填可能なフィルム、モーター化されたフィルム進行を備えたカメラ、ビルトイン電子フラッシュ、自動フォーカス、および自動露出制御における実施例により説明される。なぜならこのタイプのカメラの特徴は一般的によく知られているので、続く説明は、本発明の望ましい実施例の部分を形成する、または直接協同する要素のみに特に向けられている。しかしながら、記載されていない他の要素は、通常の当業者ならば既知の種々の形態をとってもよい。
【００１１】
　フィルムカメラ
　次に図を参照すると、図１は下記を含む再装填可能なモーター化されたカメラ１０を、ブロックフォームで概略的に描いている。
【００１２】
　適切にプログラムされたマイクロコンピュータのような既知のコントローラー１２。
【００１３】
　カメラに装填された感光していないフィルムの帯（図には示されていない）のフィルムリーダーが、巻き取りスプール（図には示されていない）へ、モーターで進行されて、写真が撮られるときに、フィルムの帯の最初の感光可能なフレームの位置でスプールに固定されたときには閉められるための、通常は開いているフィルム装填スイッチ１４。
【００１４】
　シャッターリリースボタン（図には示されていない）が手動で各々半分押されたときと、写真を撮る間、フィルムフレームを感光させるため、いっぱいまで押されたとき、連続して閉じる、第１および第２の通常は開いているシャッタースイッチ１６および１８。
【００１５】
　フィルムフレームへの感光量を制御するため、および周囲の光が不充分な状態のために（感光に対する）フラッシュによる補助が必要かどうか決定するために、周囲の光センサ２２を含む、および、第１のシャッタースイッチ１６が閉じられたときに作動する、既知の自動露出制御２０。
【００１６】
　カメラから被写体までの距離を決定するために、および自動的にレンズの焦点をあわせるために、距離計２６を含む、および、第１のシャッタースイッチ１６が閉じられたときに作動する既知の自動フォーカス２４。
【００１７】
　バッテリー３０、バッテリーからの直流電圧を交流電圧に変換する高周波発信機３２、交流電圧を昇圧する変圧器３４、および交流電圧を直流電圧へ戻し整流するための整流器３６を備えた既知のフラッシュ充電回路２８。
【００１８】
　周囲の光が不充分な状態でフィルムフレームを感光するとき、フラッシュイルミネーションを提供するため、ガラスの壁でできた、ガスが充填されたフラッシュ管３８。
【００１９】
　キャパシタがフラッシュ管のガラスの壁の内側のガスに、蓄えた電圧を放電したとき、フラッシュ管に電圧を加えるのに充分な蓄電容量を備えた、エネルギー貯蔵フラッシュまたはメインキャパシタ４０。
【００２０】
　フラッシュキャパシタの充電状態、すなわち充電されたか放電されたか、をモニタするための既知の充電／放電モニタ４２。
【００２１】
　フラッシュキャパシタが充電されたことを示すフラッシュの準備ができているかどうかを示すライト４４。
【００２２】
　フィルムフレームを感光するのを開始するためにシャッター（図には示されていない）が開き始めたときに閉じる、通常は開いているシャッター−フラッシュ同期スイッチ４６。
【００２３】
　フラッシュキャパシタの蓄電電圧のための伝導路を提供するためのガラスの壁の中のガスをイオン化させるためにフラッシュ管のガラスの壁に流される、電圧の突発波を作り出すために、トリガ（ｔｒｉｇｇｅｒ）キャパシタと点火コイル（図には示されていない）を備えた、既知のフラッシュトリガ回路。
【００２４】
　カメラの種々の出来事や状況を表す、種々の目に見える表示を提供する液晶ディスプレイ（ＬＣＤ）５０。
【００２５】
　操作
　フィルム装填モード
　フィルムリーダーを伴う感光されていないフィルムの帯を備えるフィルムカートリッジはカメラ１０のカートリッジを受けるスペースへ装填されて、カメラのドアまたは蓋は閉じられる（図には示されていない）。ドアを閉じることにより通常は開いているドアスイッチ（図には示されていない）が閉じられて、それにより、フィルムリーダーを巻取りスプールまで進ませるために、および写真が撮られるときに、フィルムの帯の最初の感光可能なフレームの位置を合わせるために、コントローラー１２にフィルム駆動モーター（図には示されていない）へ電圧を加えさせる。一度フィルムリーダーがスプールに固定されると、フィルム装填スイッチ１４が、コントローラー１２にフィルム駆動モーターへ電圧を加えるのをやめさせるために、閉じられる。フィルム供給されている間、すなわちフィルム駆動モーターに電圧が加えられている間、コントローラー１２は、図１および図２に示されている振動モーター５２へ、例えば１つのパルス、１つのパルス、１つのパルス、．．．といったような多数の同様な（あるいは交互の）連続した流れのあるいは連続した加電圧パルスを提供する。振動モーター５２は電圧が加えられたときパルスの流れに基づいてドライブシャフト５６経由で重り５４を回転させる。図３で示されるように、重り５４は、振動モーター５２が重りを回転させたとき、重りの重心６０は重りの回転軸６２とは一致しないように、非対称のマス５８を備えている。これによりカメラ１０の連続した振動を生成する。ここでの例では、最初のフィルム進行が、フィルムの帯の最初の感光可能なフレームの位置に進行中であることを示す指示としての役目を果たす。加えて、コントローラー１２はＬＣＤ５０に最初のフィルム進行が進行中であることを示す指示を表示させてもよい。
【００２６】
　一度フィルム装填スイッチ１４が閉じられると、フィルムリーダーが巻き取りスプールに固定されて、フィルムの帯の最初の可能なフレームが感光できるように位置しているため、コントローラー１２は振動モーター５２に電圧を加えるのをやめる。このように、カメラ１０の振動は中止されて、この例では、最初のフィルム進行が完了して写真撮影が開始されているかもしれないという指示として役目を果たす。また、ＬＣＤ５０は最初のフィルム進行が進行中であることを示す指示の表示を中止することができる。
【００２７】
　カメラから被写体までの距離＞最大フラッシュ到達距離モード
　写真を撮るために、シャッターリリースボタンが、通常は開いている第１のシャッタースイッチ１６を閉じるために、途中まで押されて、それにより、コントローラー１２に、周囲の光センサ２２を含む自動露出制御２０を作動させて、距離計２６を含む自動フォーカス２４を作動させる。周囲の光センサ２２は、コントローラー１２のルックアップテーブル（ｌｏｏｋ−ｕｐ　ｔａｂｌｅ）と連動して、周囲の光が不充分な状態のためにフラッシュによる補助が必要かどうかを決定する。距離計２６は、コントローラー１２のルックアップテーブルと連動して、カメラから被写体までの距離が最大フラッシュ到達距離より長いか、または最小フラッシュ距離より短いかどうかを決定する。
【００２８】
　もし、周囲の光が不充分な状態のためにフラッシュによる補助が必要であるが、カメラから被写体までの距離が最大フラッシュ到達距離より長いときは、コントローラー１２は、フラッシュ充電回路２８にフラッシュキャパシタ４０を充電させないで、かわりに図２で示される振動モーター５２へ、例えば１つのパルス、２つのパルス、１つのパルス、および２つのパルス、といったような、多数の交互の（または同様な）限られた長さの加電圧パルスの流れを提供する（フィルム装填モードの時のような連続したパルスの流れよりも）。振動モーター５２は、電圧が加えられたとき、カメラ１０の短い振動を起こすため重り５４を回転させて、この例では、カメラから被写体までの距離が最大フラッシュ到達距離より長いことを示すものとしての役目を果たす。加えて、コントローラー１２はＬＣＤ５０に、カメラから被写体までの距離が最大フラッシュ到達距離より長いことを示すものを表示させてもよい。
【００２９】
　カメラから被写体までの距離＜最小フラッシュ距離
　もし、周囲の光が不充分な状態のためにフラッシュによる補助が必要であるが、カメラから被写体までの距離が最小フラッシュ距離より短いときは、コントローラー１２は、フラッシュ充電回路２８にフラッシュキャパシタ４０を充電させないで、かわりに図２で示される振動モーター５２へ、例えば２つのパルス、１つのパルス、２つのパルス、および１つのパルス、といったような、多数の交互の（または同様な）限られた長さの加電圧パルスの流れを提供する。振動モーター５２は、電圧が加えられたとき、カメラ１０の短い振動を起こすため重り５４を回転させて、この例では、カメラから被写体までの距離が最小フラッシュ距離より短いことを示すものとしての役目を果たす。加えて、コントローラー１２はＬＣＤ５０に、カメラから被写体までの距離が最小フラッシュ距離より短いことを示すものを表示させてもよい。
【００３０】
　フラッシュ充電モード
　もし、周囲の光が不充分な状態のためにフラッシュによる補助が必要であって、カメラから被写体までの距離が最小フラッシュ距離か最大フラッシュ到達距離かそれらの間であるとき、コントローラー１２はフラッシュ充電回路２８にフラッシュキャパシタ４０を充電させる（充電されることが必要な程度まで）。充電／放電モニタ４２はコントローラー１２と連動していつフラッシュキャパシタ４０が充電されて、いつ充電を止めるかを決定する。フラッシュキャパシタ４０が充電されている間、コントローラー１２は図２に示されている振動モーター５２へ、例えば２つのパルス、２つのパルス、２つのパルス、２つのパルス、．．．といったような多数の同様な（あるいは交互の）連続した流れの加電圧パルスを提供する。振動モーター５２は、電圧が加えられたとき、カメラ１０の連続した振動を起こすため重り５４を回転させて、この例では、フラッシュキャパシタ４０が充電中であることを示すものとしての役目を果たす。フラッシュキャパシタ４０の充電が中止されたとき、振動モーター５２のパルスも中止されて、フラッシュの準備ができているかどうかを示すライト４４が点灯する。
【００３１】
　そして、シャッターリリースボタンは通常は開いている第２のスイッチ１８を閉じるためにさらに押される。閉じられたスイッチ１８はシャッターが開くのを開始して、それにより通常は開いているシャッター−フラッシュ同期スイッチ４６を閉じさせる。シャッター−フラッシュ同期スイッチが閉じられたとき、コントローラー１２は、フラッシュ管３８のガラスの壁へ流す電圧の突発波を作り出すために、トリガキャパシタと点火コイル（図には示されていない）を含むトリガ回路４８に電圧を加える。これによりフラッシュキャパシタの蓄電電圧のための伝導路を提供するためのガラスの壁の中のガスをイオン化する。結果として、フラッシュ管３８は、フィルムフレームの感光の間フラッシュによる補助を提供するために、明るく照らされる。
【００３２】
　本発明は望まれる実施例への特定の参照とともに詳しく説明されてきたが、変化や変更が、本発明の真意や範囲内でもたらされることは理解されるだろう。例えば、連続したイメージキャプチャの間に起こるよりも、認識できる中断の間に連続した警告を提供するために振動モーターと重りはデジタルカメラに使用されてもよい。上記中止の間、次のイメージキャプチャは開始できない。また、振動モーターと重りは、カメラのメモリーカードが容量までいっぱいになったことを示す限られた警告を提供するために、デジタルカメラに使用されてもよい。
【００３３】
　重り５４の重心５８が永久に重りの回転軸が一致しないというよりも、重心が最初は回転軸と一致してもよくて、重りが回転させられたとき重心がもう回転軸とは一致しないように、回転軸から移動させられることが１９７５年１０月７日に特許付与された特許文献１の中で公開されている。
【図面の簡単な説明】
【００３４】
【図１】本発明の望ましい実施例による、振動警告装置とともにカメラを描く、ブロックフォーム（ｂｌｏｃｋ　ｆｏｒｍ）の概略図である。
【図２】カメラを振動させるための振動するモーターと重りの種々のモードを描く、ブロックフォーム（ｂｌｏｃｋ　ｆｏｒｍ）の概略図である。
【図３】振動するモーターと重りの斜視図である。
【符号の説明】
【００３５】
　１０　カメラ
　１２　コントローラー
　１４　フィルム装填スイッチ
　１６　第１のシャッタースイッチ
　１８　第２のシャッタースイッチ
　２０　自動露出制御
　２２　周囲の光センサ
　２４　自動フォーカス
　２６　距離計
　２８　フラッシュ充電回路
　３０　バッテリー
　３２　発信機
　３４　変圧器
　３６　整流器
　３８　フラッシュ管
　４０　フラッシュキャパシタ
　４２　充電／放電モニタ
　４４　フラッシュの準備ができているかどうかを示すライト
　４６　シャッター−フラッシュ同期スイッチ
　４８　フラッシュトリガスイッチ
　５０　液晶ディスプレイ
　５２　振動モーター
　５４　重り
　５６　シャフト
　５８　非対称なマス
　６０　重心
　６２　回転軸
【図１】
2004139086.tif 000003
【図２】
2004139086.tif 000004
【図３】
2004139086.tif 000005